(57)【特許請求の範囲】
【請求項１】
各種サイズが用意された女性用下着商品の販売に用いられ、前記各種サイズの中からユーザにフィットする一の女性用下着商品を検索するための商品検索用ボードであって、
前記ユーザの初経の経験有無及び体型的特徴に基づいて、初経の経験有無を基準として予め定義された複数の体型区分の中から、前記ユーザが現在属する現体型区分を判定するための表示がなされた判定表示領域と、
前記複数の体型区分に対応するように、原型パターンのそれぞれ異なる複数の商品パターン群に区分して、前記女性用下着商品の各種サイズごとの商品情報が表示された商品情報表示領域とを備えたことを特徴とする商品検索用ボード。
【請求項２】
前記判定表示領域における前記表示は、判定フローチャートであることを特徴とする請求項１記載の商品検索用ボード。
【請求項３】
前記女性用下着商品はショーツであり、
前記商品情報表示領域には、初経から所定の期間を経過するまでの急成長期の体型区分に対応させた第１の商品パターン群と、初経から所定の期間を経過した後の成長安定期の体型区分に対応させた第２の商品パターン群とが設定されており、
前記第２の商品パターン群に属するショーツの原型パターンは、前記第１の商品パターン群に属するショーツの原型パターンに比べて、ウエストとヒップの比、太腿の被り量、及び前部のウエスト丈が大きくなっていることを特徴とする請求項２記載の商品検索用ボード。
【発明の詳細な説明】
【技術分野】
【０００１】
本発明は、各種サイズの中からユーザにフィットする一の女性用下着商品を検索するための商品検索用ボードに関する。
【背景技術】
【０００２】
思春期を迎えた女性の体型は、体全体が丸みを帯びてきたり、バストの成長が始まったりするなど、著しく変化する。また、思春期には、体型の変化に伴って、女性が自分の体型に対して感じる意識（ボディ意識）も大きく変化する。すなわち、小学校高学年（〜１２歳）位までの女性は身長のみを意識する傾向があるが、中学生以上（１２歳〜）に成長した女性は、バストや脚の形状や肥満度など、自分の体型を強く意識するようになる。そのため、思春期の女性においては、自分の体型にしっかりとフィットする下着商品へのニーズが強く存在している。
【０００３】
このようなニーズに対し、現状では、思春期の女性向けの下着商品として、ＪＩＳ規格に沿った各種サイズが用意されている。このＪＩＳ規格では、満１６歳以上の女性を成人女性と定義しており、この成人女性に対しては、バスト周径やヒップ周径などに基づいてＳ・Ｍ・Ｌといった各種サイズが定められている。また、満１６歳に満たない女性に対しては、身長を基準とした少女用の各種サイズが定められている。なお、この背景技術は文献公知発明に係るものではないので、記載すべき先行技術文献はない。
【発明の開示】
【発明が解決しようとする課題】
【０００４】
ところで、思春期を迎えた女性の体型の変化は著しいものであるが、その変化には非常に大きな個人差が見られる。また、近年では、体型に変化が現れ始める年齢が徐々に低年齢化してきており、１４歳位までにはほぼ１００％の女性でバストの成長が始まっているという事情も存在している。
【０００５】
ここで、思春期の女性の体型と下着商品（ここではショーツ）の既存サイズとの関係を示したグラフを図１０に示す。この図１０に示すように、成人女性用の各サイズだけでは、サンプルの体型の出現分布に対して約６０％がカバーされておらず、少女用の各サイズだけでは約４４％がカバーされていない。したがって、現状では、思春期の女性が既存のサイズ基準に合わせて下着商品を購入しても、思春期の女性の体型と下着商品の既存サイズとのずれのために、購入した下着商品が必ずしも自分の体型にフィットしないという問題が生じている。
【０００６】
このような問題を解決するために、下着商品に新しい規格を導入することが有効である。しかしながら、思春期の女性の体型に対するカバー率を向上させるために単にサイズの規格を複雑化すると、自分にフィットする下着商品を見つけるのが困難となるおそれがある。
【０００７】
本発明は上記課題の解決のためになされたものであり、思春期のユーザが自分にフィットする下着商品を容易に検索できる商品検索用ボードを提供することを目的とする。
【課題を解決するための手段】
【０００８】
上記課題の解決のため、本願発明者は、鋭意研究を重ねていく過程で、思春期を迎えた女性が初経を経験することに着目した。そして、本願発明者は、初経の経験の有無と体型変化との間に関連性が存在するか否かを調べるため、同一人物についての４歳〜１８歳までの身体計測のデータを約２７００例にわたって取得し、その分析を行った。
【０００９】
図１１及び図１２は、その分析結果を示すグラフである。図１１（ａ）及び図１１（ｂ）は、初経を経験したときからの年数に対して、サンプルのヒップ周径及びウエスト周径の平均値をそれぞれプロットしたものである。また、図１２（ａ）及び図１２（ｂ）は、初経を経験したときからの年数に対して、サンプルのトップバスト／アンダーバストの周径比及びバスト／ウエストの厚さ比の平均値をそれぞれプロットしたものである。これらの分析結果から、思春期の女性の体型は、初経の前後で特に著しく変化し、初経の経験後１年を経過すると緩やかに変化する、という傾向があることが判明した。
【００１０】
そこで、本願発明者は、初経の経験の有無を基準として思春期の女性の体型を再定義し、この定義に基づいて規格された下着商品の中から一の下着商品を選択するようにすれば、思春期のユーザが自分にフィットする下着商品を容易に検索できるとの知見を得て、本発明を完成するに至った。
【００１１】
本発明に係る商品検索ボードは、各種サイズが用意された女性用下着商品の販売に用いられ、各種サイズの中からユーザにフィットする一の女性用下着商品を検索するための商品検索用ボードであって、ユーザの初経の経験有無及び体型的特徴に基づいて、初経の経験有無を基準として予め定義された複数の体型区分の中から、ユーザが現在属する現体型区分を判定するための表示がなされた判定表示領域と、複数の体型区分に対応するように、原型パターンのそれぞれ異なる複数の商品パターン群に区分して、女性用下着商品の各種サイズごとの商品情報が表示された商品情報表示領域とを備えたことを特徴としている。
【００１２】
この商品検索用ボードでは、女性用下着商品の商品情報が複数の商品パターン群に区分して商品情報表示領域に表示されており、各商品パターン群は、初経の経験有無を基準として予め定義された複数の体型区分に対応して、それぞれ異なる原型パターンとなっている。このように、初経の経験有無に基づいて原型パターンが設定されることにより、思春期のユーザの体型がより広範囲にカバーされる。また、この商品検索用ボードでは、初経の経験有無及び体型的特徴に基づいて判定表示領域の表示を参照することにより、ユーザ自身が自分の現在の体型区分をその場で把握できる。したがって、女性用下着商品を購入しようとするユーザは、判定表示領域の表示によって自分の体型区分を把握した上で商品情報表示領域を参照することにより、その体型区分に対応する商品パターン群の中から自分に最もフィットする一の商品情報を容易に取得できる。
【００１３】
また、判定表示領域における表示は、判定フローチャートであることが好ましい。こうすると、ユーザは、フローチャートに従って簡便に自分の現在の体型区分を把握できる。
【００１４】
また、女性用下着商品はショーツであり、商品情報表示領域には、初経から所定の期間を経過するまでの急成長期の体型区分に対応させた第１の商品パターン群と、初経から所定の期間を経過した後の成長安定期の体型区分に対応させた第２の商品パターン群とが設定されており、第２の商品パターン群に属するショーツの原型パターンは、第１の商品パターン群に属するショーツの原型パターンに比べて、ウエストとヒップの比、太腿の被り量、及び前部のウエスト丈が大きくなっていることが好ましい。このような原型パターンを設定することにより、ショーツを思春期のユーザの体型によりフィットさせることが可能となる。
【発明の効果】
【００１５】
以上説明したように、本発明に係る商品検索用ボードによれば、思春期のユーザが自分にフィットする下着商品を容易に検索できる。
【発明を実施するための最良の形態】
【００１６】
以下、図面を参照しながら、本発明に係る商品検索用ボードの好適な実施形態について詳細に説明する。
【００１７】
図１は、本発明に係る商品検索用ボードの好適な一実施形態を示す斜視図である。図１に示す商品検索用ボード１は、女性用下着商品であるショーツを扱う販売店の店内に設置される矩形のボードである。この商品検索用ボード１の前面には、ユーザの体型区分を判定するための判定フローチャートが表示された判定表示領域２と、各種サイズごとにショーツの商品情報が表示された商品情報表示領域３とが上下に並べて設けられており、商品検索ボード１を参照することにより、各種サイズの中から自分にフィットする一のショーツを購入者であるユーザ自身が検索できるように構成されている。以下、各表示領域について説明する。
【００１８】
判定表示領域２は、ユーザの初経の経験有無及び体型的特徴（ヒップサイズ・ウエストサイズ等）に基づいて、初経の経験有無を基準として予め定義された複数の体型区分の中から、ユーザが現在属する現体型区分を判定するための判定フローチャート（詳細は後述）が表示された領域である。本実施形態では、初経の経験有無という観点から思春期を迎えた女性の成長段階を再定義し、この成長段階に応じてステップ１からステップ３までの３つの体型区分を設定している。
【００１９】
この３つの体型区分のうち、最も初期の成長段階であるステップ１に属する女性の上半身は、図２（ａ）に示すように、乳頭及び乳輪の隆起が見られるが、バージスラインＡは不明瞭であるという特徴を有している。また、下半身は、図２（ｂ）に示すように、骨盤が前傾傾向にあると共にウエストのくびれが小さく、また、成長率が著しく高いという特徴を有している。
【００２０】
次の成長段階であるステップ２に属する女性の上半身は、図３（ａ）に示すように、バージスラインＡが明瞭となっているが、バージス形状は下カップ点Ｂを中心にやや扁平な円状（弓なり）であるという特徴を有している。また、下カップＣの丈は比較的短く、直線的である。一方、下半身は、図３（ｂ）に示すように、骨盤が前傾傾向から直立傾向に向かう変換期にあるが、ステップ１と同様にウエストのくびれは小さく、成長率も著しく高いという特徴を有している。
【００２１】
最終の成長段階であるステップ３に属する女性の上半身は、図４（ａ）に示すように、バージスラインＡが胸部の中心から脇部までにかけて明瞭であり、下カップＣの形状は、ステップ２と比べてより丸みがあるという特徴を有している。また、下半身は、図４（ｂ）に示すように、骨盤が直立傾向であると共に、ウエストのくびれやヒップのボリュームがステップ１及びステップ２と比べてはっきりしたものとなっている。そして、ステップ３では下半身の成長が安定し、ステップ１及びステップ２に比べて成長率が低くなる。
【００２２】
商品情報表示領域３は、販売品であるショーツの各種サイズごとの商品情報が表示された領域である。この商品情報表示領域３には、急成長期であるステップ１・２用の商品規格（第１の商品パターン群）、及び成長安定期であるステップ３用の商品規格（第２の商品パターン群）に区分して、ショーツの各種サイズを示す商品情報がそれぞれ表示されている。
【００２３】
この商品情報表示領域に格納されている情報の一例を図５に示す。図５に示す例では、ステップ１及びステップ２用のショーツとして、小さい方から順に、「Ｊ３Ｓサイズ：ウエストサイズ５６ｃｍ〜６４ｃｍ、ヒップサイズ７２ｃｍ〜８０ｃｍ」、「Ｊ２Ｓサイズ：ウエストサイズ６１ｃｍ〜６９ｃｍ、ヒップサイズ７７ｃｍ〜８５ｃｍ」、「ＪＳサイズ：ウエストサイズ６６ｃｍ〜７４ｃｍ、ヒップサイズ８２ｃｍ〜９０ｃｍ」、「ＪＭサイズ：ウエストサイズ７１ｃｍ〜７９ｃｍ、ヒップサイズ８７ｃｍ〜９５ｃｍ」、「ＪＬサイズ：ウエストサイズ７６ｃｍ〜８４ｃｍ、ヒップサイズ９２ｃｍ〜１００ｃｍ」の５つのサイズについての商品情報が表示されている。また、ステップ３用のショーツとして、小さい方から順に、「Ｊ２Ｓサイズ：ウエストサイズ５７ｃｍ〜６４ｃｍ、ヒップサイズ７７ｃｍ〜８５ｃｍ」、「ＪＳサイズ：ウエストサイズ６１ｃｍ〜６８ｃｍ、ヒップサイズ８２ｃｍ〜９０ｃｍ」、「ＪＭサイズ：ウエストサイズ６５ｃｍ〜７２ｃｍ、ヒップサイズ８７ｃｍ〜９５ｃｍ」、「ＪＬサイズ：ウエストサイズ６９ｃｍ〜７６ｃｍ、ヒップサイズ９２ｃｍ〜１００ｃｍ」の４つのサイズについての商品情報が表示されている。
【００２４】
このように、商品規格をステップ１・２用とステップ３用とで分けたのは、図１１及び図１２に示したように、思春期の女性の体型変化の傾向が初経からの経過後１年を境にして急成長期から成長安定期に変化することを考慮したものである。ここで、初経からの経過年数に対する各ステップの構成比の調査結果を図６に示す。この図６に示すように、初経経験前１年では、約８０％がステップ１及びステップ２に属している。また、初経の経験時では、ステップ２とステップ３との構成比がほぼ等しく、初経経験後１年では、８０％以上がステップ３に属している。したがって、ステップ１・２用の商品規格は急成長期に対応し、ステップ３用の商品規格は成長安定期に対応するので、思春期の女性の体型が広範囲にカバーされる。
【００２５】
また、ステップ１・２用の商品規格に属するショーツと、ステップ３用の商品規格に属するショーツとでは、上述した各ステップにおける体型的な特徴及び成長率等を考慮して、それぞれ原型パターンが異なっている。すなわち、図７に示すように、ステップ３用のショーツの原型パターン５０Ｂは、ステップ１・２用のショーツの原型パターン５０Ａに比べて、ウエストとヒップの比Ｄ、太腿の被り量Ｅ、及び前部のウエスト丈Ｆが大きくなっている。これは、上述のように、ステップ１・２の下半身の体型がステップ３の体型に比べて、ウエストのくびれが小さい、ヒップボリュームが小さい、骨盤が前傾傾向にある、という特徴をそれぞれ反映させたものである。このような原型パターン５０Ａ，５０Ｂの設定は、思春期のユーザの体型によりフィットしたショーツの提供を実現する。
【００２６】
続いて、上述した構成を有する商品検索用ボード１を参照してユーザが自分にフィットするショーツの検索を行うまでの流れについて、図８を参照しながら説明する。
【００２７】
図８に示すように、ユーザは、まず判定表示領域２に表示されている判定フローチャートを参照し、自分の現在の体型区分が上述したステップ１〜３のいずれの区分に属しているかを判定する（ステップＳ０１）。
【００２８】
ここで、判定フローチャートの一例を図９に示す。図９に示すように、この判定フローチャートでは、初めに初経の経験有無について判断する（ステップＳ１１）。初経の経験が有る場合は、初経後の経過年数について判断し（ステップＳ１２）、経過年数が０．９２年より長い場合には、ユーザの体型区分はステップとなる。
【００２９】
ステップＳ１２において、経過年数が０．９２年以下である場合は、トップバスト周径とアンダーバスト周径との差を判断する（ステップＳ１３）。この差が９ｃｍより大きい場合は、体型区分はステップ３となる。また、ステップＳ１３において、差が９ｃｍ以下である場合は、さらにヒップ周径について判断する（ステップＳ１４）。そして、ヒップ周径が８３ｃｍより大きい場合は、ユーザの体型区分はステップ３となり、ヒップ周径が８３ｃｍ以下である場合は、ユーザの体型区分はステップ２となる。
【００３０】
一方、ステップＳ１１において、初経の経験が無い場合は、トップバスト周径とアンダーバスト周径との差を判断する（ステップＳ１５）。このとき、差が６ｃｍより大きい場合は、ユーザの体型区分はステップ２となる。
【００３１】
また、ステップＳ１５において、トップバスト周径とアンダーバスト周径との差が４ｃｍより大きく、かつ６ｃｍ以下である場合は、下カップ間隔（乳頭部とバスト基底部の最下点との間の間隔）について判断する（ステップＳ１６）。下カップ間隔が３ｃｍより大きい場合は、ユーザの体型区分はステップ２となる。また、ステップＳ１６において、下カップ間隔が３ｃｍ以下である場合は、さらに、ウエスト周径とヒップ周径の比（腰のくびれ具合）について判断する（ステップＳ１７）。そして、比が０．７８以下である場合は、ユーザの体型区分はステップ２となり、比が０．７８よりも大きい場合は、ユーザの体型区分はステップ１となる。
【００３２】
さらに、ステップＳ１５において、トップバスト周径とアンダーバスト周径との差が１ｃｍより大きく、かつ４ｃｍ以下である場合は、満年齢について判断する（ステップＳ１８）。この満年齢が１２歳以上であれば、ユーザの体型区分はステップ２となり、満年齢が１１歳以下であれば、ユーザの体型区分はステップ１となる。また、ステップ１５において、トップバスト周径とアンダーバスト周径との差が１ｃｍ以下であれば、ユーザの体型区分はステップ１となる。
【００３３】
再び図８を参照し、自分の現在の体型区分を把握したユーザは、次に、その体型区分に基づいて商品情報表示領域３を参照する。このとき、ユーザは、体型区分がステップ１又はステップ２であった場合にはステップ１・２用の商品規格を選択し、ステップ３であった場合にはステップ３用の商品規格を選択する（ステップＳ０３）。そして、ユーザは、選択した商品規格に属するショーツの各商品情報のうちから、自分のウエストサイズ・ヒップサイズに最もフィットする一の商品情報を選択する（ステップＳ０４）。
【００３４】
以上説明したように、この商品検索用ボード１では、ショーツに関する商品情報がステップ１・２用規格及びステップ３用規格に区分して表示されており、各規格に属するショーツは、初経の経験有無を基準として予め定義された３つの体型区分に対応して、それぞれ異なる原型パターン５０Ａ，５０Ｂを有している。このような原型パターン５０Ａ，５０Ｂの設定により、思春期の女性の体型変化の傾向が初経からの経過後１年を境にして異なることが十分に考慮され、思春期のユーザの体型がより広範囲にカバーされる。
【００３５】
また、この商品検索用ボード１では、初経の経験有無及び体型的特徴に基づいて判定フローチャートを参照し、ユーザ自身が自分の現在の体型区分をその場で容易に把握できる。したがって、ショーツを購入しようとするユーザは、判定フローチャートによって自分の体型区分を把握した上で商品情報表示領域３を参照することにより、その体型区分に対応する商品規格を選択でき、その商品規格に属するショーツの各種サイズ中から自分に最もフィットする一のショーツの商品情報を容易に取得できる。このように、ユーザ自身が自分にフィットするショーツを選択できることは、ショーツの販売店側にとっては、各販売員に高度な教育を施す手間を省けるといったメリットがあり、その結果としてショーツ等の低コスト化を実現する。
【００３６】
なお、本発明は上記実施形態に限られるものではない。例えば、上記実施形態ではボードの形状を矩形としているが、この形状に限られず、円形、三角形等としてもよい。また、ボードの大きさは、販売店舗の広さやデザインに合わせて適宜変更してもよい。
【００３７】
また、上記各実施形態では、女性用下着商品としてショーツの検索を行っているが、図１３に示す商品検索用ボード６０のように、ショーツと共に、ブラジャーの商品情報をサイズごとに表示した商品情報表示領域６１を設けてもよい。こうすると、ショーツとブラジャーとをセットで検索できるので、ユーザは自分にフィットする女性用下着商品をより簡便に見つけることが可能となり、ショーツの販売促進も実現できる。
【００３８】
その他、思春期の女性の体に密着するような下着商品であれば、本発明を適用可能である。例えば、ガードル、水着などにも適用できる。
【図面の簡単な説明】
【００３９】
【図１】本発明に係る商品検索用ボードの一実施形態を示す斜視図である。
【図２】体型区分がステップ１である女性の体型的特徴を示す図であり、（ａ）はその上半身、（ｂ）はその下半身を示す。
【図３】体型区分がステップ２である女性の体型的特徴を示す図であり、（ａ）はその上半身、（ｂ）はその下半身を示す。
【図４】体型区分がステップ３である女性の体型的特徴を示す図であり、（ａ）はその上半身、（ｂ）はその下半身を示す。
【図５】商品情報表示領域に格納されている情報の一例を示す図である。
【図６】初経からの経過年数に対する各ステップの構成比を示すグラフである。
【図７】ステップ１・２用のショーツの原型パターン及びステップ３用のショーツの原型パターンを示す図である。
【図８】図１に示した商品検索用ボード１を参照してユーザが自分にフィットするショーツの検索を行うまでの流れを示すフローチャートである。
【図９】判定表示領域に表示される判定フローチャートを示す図である。
【図１０】思春期の女性の体型に対する下着商品の既存サイズのカバー率を示したグラフである。
【図１１】（ａ）は、初経からの経過年数とヒップ周径との関係を示すグラフであり、（ｂ）は、初経からの経過年数とウエスト周径との関係を示すグラフである。
【図１２】（ａ）は、初経からの経過年数とトップバスト／アンダーバスト周径差との関係を示すグラフであり、（ｂ）は、初経からの経過年数とバスト／ウエスト厚比との関係を示すグラフである。
【図１３】変形例に係る商品検索用ボードを示す斜視図である。
【符号の説明】
【００４０】
１，６０…商品検索用ボード、２…判定表示領域、３，６１…商品情報表示領域、５０Ａ，５０Ｂ…ショーツの原型パターン。
【図１】
0004551293.tif 000002
【図２】
0004551293.tif 000003
【図３】
0004551293.tif 000004
【図４】
0004551293.tif 000005
【図５】
0004551293.tif 000006
【図６】
0004551293.tif 000007
【図７】
0004551293.tif 000008
【図８】
0004551293.tif 000009
【図９】
0004551293.tif 000010
【図１０】
0004551293.tif 000011
【図１１】
0004551293.tif 000012
【図１２】
0004551293.tif 000013
【図１３】
0004551293.tif 000014